(57)【要約】【課題】自動巻き取り構造のホースリールを一般家庭でも手軽に使用可能とする。【解決手段】スプール２に巻き取り回転方向の動力を伝える動力伝達手段３を、水力によって回転する羽根車３１と、当該羽根車３１の回転をスプール２に伝達する伝達手段Ｇとから構成する。【選択図】図１
2005255412.tif 000002
【特許請求の範囲】
【請求項１】
スプールに巻き取り回転方向の動力を伝える動力伝達手段を備えてなるホースリールにおいて、前記動力伝達手段が、水力によって回転する羽根車と、当該羽根車の回転をスプールに伝達する伝達手段とからなることを特徴とするホースリール。
【請求項２】
前記羽根車を回転させる配管と散水用の配管とに一つの水源から水を供給し、当該両配管への水の供給を切替弁によっていずれか一つに切り替えるものであることを特徴とする請求項１に記載のホースリール。
【請求項３】
羽根車を回転させた水を、順次供給される水圧を利用し、スプールに巻かれるホースに向かって噴射してホースの洗浄水として再利用することを特徴とする請求項１または請求項２に記載のホースリール。
【請求項４】
前記伝達手段は、羽根車の回転を歯車列によってスプールに伝達する歯車機構であることを特徴とする請求項１ないし請求項３いずれか１項に記載のホースリール。
【請求項５】
スプール側の歯車が、スプールの鍔部周囲に亘って、内歯または外歯の歯車を周設したものであることを特徴とする請求項４に記載のホースリール。
【請求項６】
スプール側の歯車が、スプールの回転軸の同軸線上に設けられているものであることを特徴とする請求項４に記載のホースリール。
【請求項７】
前記伝達手段は、羽根車の回転軸とスプールの回転軸とに設けられた回転体に亘って動力伝達体を巻掛けてなるものであることを特徴とする請求項１ないし請求項３いずれか１項に記載のホースリール。
【発明の詳細な説明】
【技術分野】
【０００１】  本発明は、ホースリールに関し、詳しくは、水を撒く際に用いられるホースを巻き取るためのホースリールに関する。
【背景技術】
【０００２】  従来、ホースリールの巻き取りの自動化を図るために、リールの回転軸に羽根車を取り付けて、この羽根車を送風によって回転させ、その回転でリールを回転させることによってホースを巻き取るものが提案されている。（たとえば、特許文献１参照）
【特許文献１】  特公昭５５−５４７４号公報（特許請求の範囲、〔図１〕、〔図２〕）
【発明の開示】
【発明が解決しようとする課題】
【０００３】  しかしながら、特許文献１のホースリールは、送風を行う際には送風機およびこれを動かすための電源等を用意する必要があるため、特に、一般家庭で使用するには、設備的にきわめて難しいものである。【０００４】  そこで、本発明は、自動巻き取り構造のホースリールを一般家庭でも手軽に使用可能とすることを課題とし、この課題を解決するホースリールの提供を目的とする。
【課題を解決するための手段】
【０００５】  前記目的を達成するために、本発明は、下記の技術的手段を採用した。
その技術的手段は、スプールに巻き取り回転方向の動力を伝える動力伝達手段を備えてなるホースリールにおいて、前記動力伝達手段が、水力によって回転する羽根車と、当該羽根車の回転をスプールに伝達する伝達手段とからなることを特徴とする（請求項１）。【０００６】  前記羽根車を回転させるための水の供給は、散水用に用いる水の水源を共用してもよいし、散水用とは別に異なる水源としてもよい。
好ましくは、散水用に用いる水の水源を共用するものであり、この場合、前記羽根車を回転させる配管と散水用の配管とに一つの水源から水を供給し、当該両配管への水の供給を切替弁によっていずれか一つに切り替える（請求項２）ようにすることが最適である。【０００７】  また、羽根車を回転させるために使用される水を有効利用するという観点から、羽根車を回転させた水を、順次供給される水圧を利用し、スプールに巻かれるホースに向かって噴射してホースの洗浄水として再利用する（請求項３）ことが好ましい。【０００８】  前記伝達手段は、羽根車の回転をスプールに伝達する構成をすべて包含し、その構成としては、たとえば、羽根車の回転を歯車列によってスプールに伝達する歯車機構（請求項４）が例示でき、この場合、スプール側の歯車として、スプールの鍔部周囲に亘って、内歯または外歯の歯車を周設した（請求項５）もの、または、スプールの回転軸の同軸線上に設けた（請求項６）ものが例示できる。
前記伝達手段の他の構成として、羽根車の回転軸とスプールの回転軸とに設けられた回転体に亘って動力伝達体を巻掛けてなる構成（請求項７）が例示でき、この場合の回転体と動力伝達体としては、ベルトとプーリーやチェーンとスプロケットが挙げられる。
【発明の効果】
【０００９】  本発明は、以上の構成により、下記の優れた効果を有する。
請求項１の発明によれば、水力によってスプールを巻き取り回転させるものであるので、送風を行う際には送風機およびこれを動かすための電源等を用意する必要が無い。
つまり、水道がある場所であれば、どこでも使用でき、たとえば、一般家庭の水道を水源としてホースの自動巻取りを行うことができる。
また、請求項２の発明によれば、散水用に使用する水の水源を共用し、しかも、水の供給を切替弁によって、散水とホース巻取りに切替えるので、１個の水道の蛇口があれば散水もホース巻き取りも行うことができる。
また、請求項３の発明によれば、羽根車を回転させるために使用する水が、スプールに巻き取られるホースの洗浄水として再利用されるので、水道水を無駄にすること無く有効利用することができ、その上、ホースを常にきれいな状態として巻き取っておくことができる。
また、請求項４ないし請求項７の発明によれば、羽根車の回転をスプールに伝達する手段を具体的に達成できる。
さらに、歯車機構および回転体に巻掛け体を巻き掛ける構成のいずれにおいても、羽根車側とスプール側の歯車や回転体の回転比を水道水の水圧に対応して設定することができる。
【発明を実施するための最良の形態】
【００１０】  以下、本発明の実施の形態を図に基づいて説明する。
本実施の形態のホースリール１は、基本的には、左右のフレーム２Ｌ，２Ｒ間にホース（図示せず）を巻き取るスプール２が回転可能に軸支されたものである。
前記スプール２は、動力伝達手段３を介して水力によって巻き取り回転するようにされている。
また、左右のフレーム２Ｌ，２Ｒを連結する把手４には、スプール２を回転させるために使用された水を巻き取られるホースに向かって噴射するホース洗浄ノズル５が設けられている。【００１１】  前記動力伝達手段３を詳述すると、水力によって回転する羽根車３１と、当該羽根車３１と回転軸３２を共にする第１歯車３３と、スプール２の鍔部２１における外側の外周に周設された内歯状の第２歯車３４とを備えて構成されている。
羽根車３１は、図面上右側のフレーム２Ｒに設けられたケーシング２１Ｒ内に内蔵されており、そのケーシング２１Ｒに配管された巻取り水管Ｐ１から供給される水の水力によって回転するようにされている。
また、羽根車３１は、ケーシング２１Ｒ内で回転可能に支持された回転軸３２に固定されている。
第１歯車３３は、前記ケーシング２１Ｒから突出した前記回転軸３２に固定され、前記第２歯車３４と噛み合せてあり、これにより、羽根車３１の回転をスプール２に伝達する伝達手段Ｇが構成される
このようにした動力伝達手段３によって、前記羽根車３１の回転を第１歯車３３から第２歯車３４を経てスプール２の回転として伝達することができる。【００１２】  前記巻取り水管Ｐ１は、当該巻取り水管Ｐ１に水を供給する供給管Ｐに切替弁Ａを介して配管されている。
切替弁Ａは、前記巻取り水管Ｐ１と、供給管Ｐと切替弁を介して配管され、供給管Ｐからの水をホースＨに供給する散水管Ｐ２とに、水の供給方向を切り替えるものであり、前記フレーム２Ｒの表面から切替可能に装備されている。
散水管Ｐ２は、スプール２の回転軸を兼ねる連通管Ｐ３に配管されている。
散水管Ｐ２と前記連通管Ｐ３とは、回転可能に連結されており、周知のホースリールと同様にスプール２の回転が散水管Ｐ２に作用しないようにしている。
連通管Ｐ３の外側には、周知のものと同様に、ホース取付け管Ｐ４が配管され、このホース取付け管Ｐ４からホースに水が供給される。【００１３】  前記ケーシング２Ｒと把手４とに亘って、前記羽根車３１を回転させた水を、ホース洗浄水としてホース洗浄ノズル５に供給するためのリサイクル水管Ｐ５が配管されている。
リサイクル水管Ｐ５は、前記巻取り水管Ｐ１からケーシング２１Ｒ内に順次供給される水の水力によって、ケーシング２１内の水を把手４を経てホース洗浄ノズル５に供給する。
ホース洗浄ノズル５は、パイプ状のものであり、この把手４の下側にスプール２に向けて、多数の小径孔５１が開孔されている。
小径孔５１からは、ホース巻取り状態において常時洗浄水がスプール２に向かって噴射されており、引き出されたホースがスプール２に巻き取られる際に、スプール２に巻き取られるホースに向かって洗浄水が噴射されて、ホースに付着した土や泥を流し落とすようにされている。【００１４】  このようにしたホースリール１の使用方法を説明すると、ホースから水を散水する場合には、切替弁Ａを操作して散水側へセットする。
このとき、供給管Ｐから供給される水は、散水管Ｐ２から連通管Ｐ３とホース取付け管Ｐ４を経てホースへ供給されて散水される。
また、引き出されたホースＨを巻き取る場合には、切替弁Ａを操作して巻取り側へセットする。
このとき、供給管Ｐから供給される水は、巻取り水管Ｐ１を経てケーシング２１Ｒ内に供給され、当該ケーシング２１Ｒ内に内蔵された羽根車３１を回転させる。
羽根車３１が回転すると、その回転が、当該羽根車３１と回転軸３２を介して一体回転する第１歯車３３と当該第１歯車３３と噛み合う第２歯車３４からなる伝達手段Ｇを経てスプール２の巻取り回転として伝達されてホースがスプール２に巻き取られる。
羽根車３１を回転させた水は、ケーシング２１Ｒ内に順次供給される水の水力によって、リサイクル水管Ｐ５を経てホース洗浄ノズル５から洗浄水として噴射されて、スプール２に巻き取られるホースを洗浄する。
したがって、本実施の形態のホースリール１は、ホースの自動巻取りを水の水力によって行うことができるので、たとえば、一般家庭の水道水を利用できるとともに、水道があれば場所を選ばず使用することができ、その上、巻取り時に使用される水は、同時にホースの洗浄水として再利用することができる。【００１５】  なお、本実施の形態のホースリールは、水力のみでスプールを巻取り回転させる構成で説明しているが、たとえば、スプールを手動により巻き取るためのハンドルを備えたホースリールに前記動力伝達手段を採用し、この動力伝達手段によって伝達される動力を、ハンドル巻取り操作のアシストとして利用することもできる。
また、本発明は、前記で例示した実施の形態に限定するものでは無く、特許請求の範囲の各項に記載された内容から逸脱しない範囲で他の構成による実施も可能絵有る。
【図面の簡単な説明】
【００１６】
【図１】本発明に係るホースリールの側面図。
【図２】同、正面図。
【図３】図１の要部拡大図。
【図４】図２の要部拡大図。
【符号の説明】
【００１７】１：ホースリール
２：スプール
３：動力伝達手段
５：ホース洗浄ノズル
３１：羽根車
３２：回転軸
３３：第１歯車
３４：第２歯車
Ｐ：供給管
Ｐ１：巻取り水管
Ｐ２：散水管
Ｐ３：連通管
Ｐ４：ホース取付け管
Ｐ５：リサイクル水管
Ａ：切替弁
Ｈ：ホース
Ｇ：伝達手段
２１Ｒ：ケーシング
【図１】
2005255412.tif 000003
【図２】
2005255412.tif 000004
【図３】
2005255412.tif 000005
【図４】
2005255412.tif 000006